(57)【要約】      （修正有）【課題】チェーンを使用しながら、リング形状を長期間にわたり維持して耐久性の向上を可能とするチェーンリングを提供する。【解決手段】チェーンリング１は、板体リング１０と、同一形状の複数のコマ２１を連結し、板体リング１０の外周長さに等しい長さとした飾りチェーン２０を含み、板体リング１０の外周表面に沿って飾りチェーン２０を固定して成る。【選択図】図１
0003234139.tif 000002
【実用新案登録請求の範囲】
【請求項１】
板体リングと、該板体リングの外周長さに等しい長さの飾りチェーンを、前記板体リングの外周表面に沿って固定して成ることを特徴とするチェーンリング。
【請求項２】
前記飾りチェーンは、複数のコマを連結して構成する請求項１に記載のチェーンリング。
【請求項３】
前記飾りチェーンは、前記コマを輪で形成し、該輪を連結して成る喜平チェーンで構成する請求項２に記載のチェーンリング。
【請求項４】
前記飾りチェーンの前記板体リングへの固定は、前記板体リングを前記飾りチェーンが固定されるまで押し広げた状態で両者の接触部を溶解して行う請求項１ないし請求項３のいずれかに記載のチェーンリング。
【請求項５】
前記溶接は複数個所で行う請求項４に記載のチェーンリング。
【請求項６】
前記板体リングは指輪である請求項１ないし請求項５のいずれかに記載のチェーンリング。
【請求項７】
前記板体リングの内側に刻印を施す請求項６に記載のチェーンリング。
【考案の詳細な説明】
【技術分野】
【０００１】
本考案は、チェーンを装飾物として使用した金属製の指輪（チェーンリング）に関する。
【背景技術】
【０００２】
従来、同一形状の複数のコマ（輪や飾り片）を連結して構成されるチェーンは、ネックレス等の身飾品として使用することが行われているが、非特許文献１に示されるように、宝飾品である指輪として使用する場合があった。
【０００３】
例えば、喜平デザインのチェーンを指輪として使用する場合、指の大きさに合わせてチェーンの長さを決め、チェーンの両端部分を溶接して連結するとともに、チェーンを構成する各コマ同士をロウ付けで全体をリング状に固定しリング形状を維持することが行われていた。
【先行技術文献】
【非特許文献】
【０００４】
【非特許文献１】https://wp.orefice.jp/sp_articles/9994/
【考案の概要】
【考案が解決しようとする課題】
【０００５】
しかしながら、チェーンの各コマ同士をロウ付けで固定してリング形状を維持する場合、経年劣化でリング形状が崩れチェーンの状態に戻ってしまうことが多いという課題があった。
【０００６】
本考案は上記実情に鑑みて提案されたもので、チェーンを使用しながら、リング形状を長期間にわたり維持して耐久性の向上を可能とするチェーンリングを提供することを目的とする。
【課題を解決するための手段】
【０００７】
上記目的を達成するため、本考案に係るチェーンリング（請求項１）は、板体リング（１０）と、該板体リングの外周長さに等しい長さの飾りチェーン（２０）を、前記板体リング（１０）の外周表面に沿って固定して成ることを特徴としている。
【０００８】
請求項２は、請求項１のチェーンリングにおいて、前記飾りチェーン（２０）は、複数のコマ（２１）を連結して構成することを特徴としている。複数のコマ（２１）は、同一形状又は異なる形状で構成される。
【０００９】
請求項３は、請求項２のチェーンリングにおいて、前記飾りチェーン（２０）は、前記コマ（２１）を輪で形成し、該輪を連結して成る喜平チェーンで構成することを特徴としている。
【００１０】
請求項４は、請求項１ないし請求項３のいずれかに記載のチェーンリングにおいて、前記飾りチェーン（２０）の前記板体リング（１０）への固定は、前記板体リング（１０）を前記飾りチェーン（２０）が固定されるまで押し広げた状態で両者の接触部を溶解して行うことを特徴としている。
【００１１】
請求項５は、請求項４のチェーンリングにおいて、前記溶接は複数個所で行うことを特徴としている。
【００１２】
請求項６は、請求項１ないし請求項５のいずれかに記載のチェーンリングにおいて、前記板体リング（１０）は指輪であることを特徴としている。
【００１３】
請求項７は、請求項６のチェーンリングにおいて、前記板体リング（１０）の内側に刻印を施すことを特徴としている。
【考案の効果】
【００１４】
本考案のチェーンリングによれば、飾りチェーン（２０）を板体リング（１０）の外周表面に沿って固定することで、飾りチェーン（２０）を指輪として使用する際に、飾りチェーン（２０）を構成するコマ（２１）の連結固定状態を強固に維持することが可能となる。
【図面の簡単な説明】
【００１５】
【図１】本考案のチェーンリングの実施形態の一例を示す斜視説明図である。
【図２Ａ】チェーンリングに使用する飾りチェーン（２面カットのシングル喜平チェーン）の一例を示す説明図である。
【図２Ｂ】チェーンリングに使用する飾りチェーン（６面カットのダブル喜平チェーン）の一例を示す説明図である。
【図２Ｃ】チェーンリングに使用する飾りチェーン（８面カットのトリプル喜平チェーン）の一例を示す説明図である。
【図３Ａ】飾りチェーン（喜平チェーン）に使用するコマ（輪）同士の連結状態（シングル喜平）の一例を示す説明図である。
【図３Ｂ】飾りチェーン（喜平チェーン）に使用するコマ（輪）同士の連結状態（ダブル喜平）の一例を示す説明図である。
【図３Ｃ】飾りチェーン（喜平チェーン）に使用するコマ（輪）同士の連結状態（トリプル喜平）の一例を示す説明図である。
【考案を実施するための形態】
【００１６】
本考案に係るチェーンリングの一実施形態について、図面を参照して説明する。
チェーンリング１は、図１に示すように、板体リング１０と、板体リング１０上面に固定された板体リング幅とほぼ同じ幅を有する飾りチェーン２０とから構成されている。
【００１７】
板体リング１０は、板体を環状とした形状で構成され、材料としては、例えば、金、銀、銅、白金、パラジウム、金と銀の合金等の貴金属が使用される。
【００１８】
飾りチェーン２０は、複数のコマ２１を連結したチェーンを板体リング１０の外周長さに切断し、両端同士を連結して構成され、板体リング１０の上面に固定されている。チェーンの両端同士は、溶接処理などで連結されている。また、コマ２１が板体リング１０に接触する複数個所において溶接を施すことで、コマ２１を板体リング１０の上面に固定する。
飾りチェーン２０の材料としては、例えば、金、銀、銅、白金、パラジウム、金と銀の合金等の貴金属が使用される。
【００１９】
飾りチェーン２０は、例えば喜平チェーンで構成されている。喜平チェーンは、楕円型に近い輪（コマ）を連結し、プレスやねじりを加え、アイスカット機で表面や側面にカットを入れる。カットされた面が真っ直ぐに並ぶことで滑らかな輝きがあるデザインを得ることができる。
輪（一コマ）にカットが入ることで、断面に存在する平面の数により、２面カット（図２Ａ）・６面カット（図２Ｂ）・８面カット（図２Ｃ）のデザインが得られる（各図の右側に断面モデルを示す）。
また、輪同士の繋ぎ方において、一つの輪に対して一つの輪を繋げるシングル喜平（図３Ａ）、２つの輪を繋げるダブル喜平（図３Ｂ）、３つの輪を繋げるトリプル喜平（図３Ｃ）が存在する。
なお、図１に示したチェーンリング１は、６面カットのダブル喜平チェーンを使用している。
【００２０】
次に、図１に示すチェーンリング１の作製手順について説明する。
６面ダブル喜平（チェーン）を板体リング１０のリングサイズの長さにカットし、チェーンの両端部分を溶接して連結することで喜平リング（飾りチェーン）２０を作製する。
板体リング１０の外周に喜平リング（飾りチェーン）２０が配置するように両者を重ね合わせ、既存の工作機械（リング内径拡張機械）が有する細長い円錐状棒状体を２本のリングに通すことで内側リング（板体リング１０）を内側から押し広げ（拡径して）外側リング（喜平チェーン２０）の内周面に圧着させる。
押し広げた状態で喜平リング２０（コマ２１）と、その内側に位置する板体リング１０の接触部分の数か所を溶接する。
板体リング１０の内側面に金性刻、ブランド刻をレーザーで刻印する。
チェーンリング１の表面の研磨などの仕上げ処理を行って完成する。
完成したチェーンリングに対しては、ユーザの希望により、板体リング１０の内側面にイニシャルや記念日などの刻印を施す。
【００２１】
上述したチェーンリング１の構造によれば、飾りチェーン２０の内側に板材となる板体リング１０を配置することで、板体リング１０に固定された飾りチェーン２０に緩みが生じることを解消し、リング形状を長期間にわたり維持して耐久性の向上を図ることができる。
また、板体リング１０の内面にイニシャルや記念日などの刻印を入れることが可能になる。
【００２２】
上述した例では、飾りチェーン２０として喜平リングを使用したが、複数のコマ（同一形状又は異なる形状の輪状体又は飾り片）２１を連結してリング状となるチェーンであればよい。また、飾りチェーン２０を構成する各コマ２１は輪形状でなくともよく、相互に連結可能な形状であればよい。
【符号の説明】
【００２３】
１  チェーンリング
１０  板体リング
２０  飾りチェーン（喜平リング）
２１  コマ（輪）
【図１】
0003234139.tif 000003
【図２Ａ】
0003234139.tif 000004
【図２Ｂ】
0003234139.tif 000005
【図２Ｃ】
0003234139.tif 000006
【図３Ａ】
0003234139.tif 000007
【図３Ｂ】
0003234139.tif 000008
【図３Ｃ】
0003234139.tif 000009
【手続補正書】
【提出日】令和3年7月28日(2021.7.28)
【手続補正１】
【補正対象書類名】実用新案登録請求の範囲
【補正対象項目名】全文
【補正方法】変更
【補正の内容】
【実用新案登録請求の範囲】
【請求項１】
板体リングと、該板体リングの外周長さに等しい長さの飾りチェーンを、前記板体リングの外周表面に沿って固定して成ることを特徴とするチェーンリング。
【請求項２】
前記飾りチェーンは、複数のコマを連結して構成する請求項１に記載のチェーンリング。
【請求項３】
前記飾りチェーンは、前記コマを輪で形成し、該輪を連結して成る喜平チェーンで構成する請求項２に記載のチェーンリング。
【請求項４】
前記飾りチェーンの前記板体リングへの固定は、前記板体リングを前記飾りチェーンが固定されるまで押し広げた状態で両者の接触部を溶接して行う請求項１ないし請求項３のいずれかに記載のチェーンリング。
【請求項５】
前記溶接は複数個所で行う請求項４に記載のチェーンリング。
【請求項６】
前記板体リングは指輪である請求項１ないし請求項５のいずれかに記載のチェーンリング。
【請求項７】
前記板体リングの内側に刻印を施す請求項６に記載のチェーンリング。
【手続補正２】
【補正対象書類名】明細書
【補正対象項目名】００１０
【補正方法】変更
【補正の内容】
【００１０】
請求項４は、請求項１ないし請求項３のいずれかに記載のチェーンリングにおいて、前記飾りチェーン（２０）の前記板体リング（１０）への固定は、前記板体リング（１０）を前記飾りチェーン（２０）が固定されるまで押し広げた状態で両者の接触部を溶接して行うことを特徴としている。